(57)【要約】 【課題】扉の反り具合に対応して、突入するデッドの先端部を捕捉し、扉のガタ付防止を図ること【解決手段】ストライクの開口の幅寸法は、デッドの両側面に対して所要の間隙が生じるように設定され、一方、開口に対して位置付けるように複数個の垂直部材を横方向に一連に配列し、また、各垂直部材にそれぞれ対応する複数個の付勢部材をトロヨケの後壁と各垂直部材との間の空間に個別的に配設し、扉が反った時及び扉の反りが戻った時のいずれの場合であっても、突入するデッドの先端面に押圧された幾つかの垂直部材は、トロヨケ内の個別的水平ガイドを介し、かつ、各付勢手段のバネ力に抗して初期位置からトロヨケの凹所の奥へと後退動する反面、その余の垂直部材は、デッドの側面にそのまま初期位置に停止していることを特徴とするデッド用受け金具。【選択図】図２
2007231687.tif 000002
【特許請求の範囲】
【請求項１】
トロヨケと、開口を有するストライクとから成るデッド用受け金具に於いて、前記ストライクの開口の幅寸法は、デッドの両側面に対して所要の間隙が生じるように設定され、一方、前記開口に対して位置付けるように複数個の垂直部材を横方向に一連に配列し、また、各垂直部材にそれぞれ対応する複数個の付勢部材を前記トロヨケの後壁と各垂直部材との空間に個別的に配設し、扉が反った時及び扉の反りが戻った時のいずれの場合であっても、突入するデッドの先端面に押圧された幾つかの垂直部材は、トロヨケ内の個別的水平ガイドを介し、かつ、前記各付勢手段のバネ力に抗して初期位置からトロヨケの凹所の奥へと後退動する反面、その余の垂直部材は、デッドの側面にそのまま初期位置に停止していることを特徴とするデッド用受け金具。
【請求項２】
請求項１に於いて、複数本の垂直部材及び付勢部材は、トロヨケ及びストライクに所定間隔を有して水平に架設された複数本の棒状水平ガイドにそれぞれ設けられていることを特徴とするデッド用受け金具。
【請求項３】
請求項１に於いて、個別的水平ガイドは、トロヨケの上下の壁の内壁面にそれぞれ横方向に一連に形成された被係合部であり、また、個別的付勢手段は、トロヨケの後壁と垂直部材の後端部にそれぞれ支持されていることを特徴とするデッド用受け金具。
【請求項４】
請求項１乃至請求項３のいずれかに於いて、複数本の垂直部材はそれぞれ板状に形成され、ストライク側から見た開口を基準にすると、縦縞状模様に見えることを特徴とするデッド用受け金具。
【発明の詳細な説明】
【技術分野】
【０００１】
本発明は、デッド用受け金具に関する。
【背景技術】
【０００２】
マンション、オフイスビル、住宅などの玄関等には、室外又は室内方向へ開く形式の扉が取付けられている。この種の扉は、自由端部にデッドボルト（以下、「デッド」という。）を備えた錠前が取付けられ、その他端部に丁番を介して縦枠に回動可能に取付けられている。一方、前記縦枠には、トロヨケと、ストライクとから成るデッド用の受け金具が取付けられている。
【０００３】
ところで、特許文献１は、ラッチ用の受け金具に関するものであるが、扉に反りが生じた場合でもラッチが突入可能であると共に、扉に反りが生じていない場合には扉がガタ付かないラッチ受箱を提供する旨の記載があり、該ラッチ受箱には、付勢手段と、該付勢手段に付勢された複数枚の縦長状スペーサを内装する事項が記載されている。
【０００４】
また、特許文献２は、引き違い戸の鎌錠装置に関するものであるが、該鎌錠装置を構成するカマ用の受け金具にカマの先端部を受ける鎌受け摺動片をその付勢手段と共に内装する事項が記載されている。
【０００５】
しかし、特許文献１及び特許文献２には、扉が左側（室内側）、或いは右側（室外側）へガタ付いた場合に於いて、デッドを受け金具に内装した一組の垂直部材で常に挟持状態で捕捉することにより、扉のガタ付き防止を図る旨及び該目的を達成するための具体的構成は記載されていない。
【特許文献１】特開２００５−３３０７０４号公報
【特許文献２】特開２００１−３１１３３４号公報
【発明の開示】
【発明が解決しようとする課題】
【０００６】
本発明の第１の目的は、扉が室内側、或いは室外側へ反った場合に於いて、デッドがストライクに衝突しないことである。第２の目的は、扉の反り具合に対応して突入するデッドの先端部を常に捕捉し、扉のガタ付防止を図ることである。第３の目的は、部品点数を少なくして、組み合わせの容易化を図ることである（第２実施例）。
【課題を解決するための手段】
【０００７】
本発明のデッド用受け金具は、トロヨケと、開口を有するストライクとから成るデッド用受け金具に於いて、前記開口の幅寸法は、デッドの両側面に対して所要の間隙が生じるように設定され、一方、前記ストライクの裏側に、かつ、前記開口に対して位置付けるように複数個の垂直部材を横方向に一連に配列し、また、各垂直部材にそれぞれ対応する複数個の付勢部材を前記トロヨケの後壁と各垂直部材との間の空間に個別的に配設し、扉が反った時及び扉の反りが戻った時のいずれの場合であっても、突入するデッドの先端面に押圧された幾つかの垂直部材は、トロヨケ内の個別的水平ガイドを介し、かつ、前記付勢手段のバネ力に抗して初期位置からトロヨケの凹所の奥へと後退動する反面、その余の垂直部材は、デッドの左右の側面を挟むようにそのまま初期位置に停止していることを特徴とする。
【発明の効果】
【０００８】
（１）ストライクの開口の幅寸法を、デッドの室内側の側面及び室外側の側面に対してそれぞれ所要の間隙が生じるように設定したので、扉が室内側又は室外側のいずれに反った場合に於いても、デッドがストライクの開口縁部に衝突しない。
（２）ストライクの開口に対して位置付けるように複数個の垂直部材を横方向に一連に配列し、また、各垂直部材にそれぞれ対応する複数個の付勢部材をトロヨケの後壁と各垂直部材との間の空間に個別的に配設し、扉が反った時及び扉の反りが戻った時のいずれの場合であっても、突入するデッドの先端面に押圧された幾つかの垂直部材は、トロヨケ内の個別的水平ガイドを介して、かつ、付勢手段のバネ力に抗して初期位置からトロヨケの凹所の奥へと後退動する反面、その余の垂直部材は、デッドの左右の側面を挟むようにそのまま初期位置に停止しているので、常に扉のガタ付き防止を図ることができる。
（３）請求項２に記載の発明は、組立ての際、例えば各垂直部材１６の案内孔１９に各棒状水平ガイド１８をそれぞれ串差し状に差し込んだ後に各付勢部材１７を各棒状水平ガイド１８にそれぞれ装着し、その後に、各水平ガイドを介して、いわば垂直部材及び付勢部材をワンセットの状態でトロヨケ及びストライクに架設することができるので、組み合わせの容易化を図ることができる。
（４）請求項３に記載の発明は、構成する部品点数が少なくなるので、組み立てが容易となる。
（５）請求項４に記載の発明は、垂直部材が板状に形成されているので、施錠時、デッドの先端部の左右側壁にそれぞれ位置する垂直部材が幅広く面接触する。したがって、（１）の扉のガタ付き防止の効果を高めることができる。
【発明を実施するための最良の形態】
【０００９】
以下、図１乃至図１０に示す本発明を実施するための最良の形態（第１実施例）により説明する。
【００１０】
（１）発明の実施の環境
図１、図２に於いて、１は扉用縦枠、２はデッド用受け金具、３は水平方向へ開閉する扉、４は錠前、５はデッドボルト（以下、「デッド」という。）、６はサムターンユニットの摘み、７はフロントである。そして、前記デッド用受け金具２は、トロヨケ８と、該トロヨケに対して固定されると共に、扉側のフロントから突出するデッド５を受け入れる開口１０を有するストライク９とから成る。
【００１１】
なお、錠前は電気錠か、それとも機械式かの種類は問わない。また、サムターンユニット６をシリンダー式に代えることもできる。
【００１２】
図１は、説明の便宜上、扉用縦枠１に固定されたデッド用受け金具２と、扉３の自由端部側に固定された錠前４のデッド５を共に示す。また、図２は主要部の分解斜視図である。
【００１３】
周知のように、例えば室内側からサムターンユニットの摘み６を所要量回転操作すると、錠箱内の図示しないダルマを含む駆動機構により、デッド５はフロント７から所定量突出する。また、施錠時、デッド５が突出すると、その先端部５ａは、受け金具２に突入する。
【００１４】
また、図１又は図２を基準にすると、受け金具２のストライク９に向かって、矢印Ａの方向を、ここでは左右方向とする（開口１０の幅方向でもあり、或いはデッド５の肉厚方向でもある）。
【００１５】
また、本実施例では、扉３は外開き式に図示していることから、図６を基準にすると、ＩＮは室内側であり、一方、ＯＵＴは室外側である。さらに、付言すれば、扉の縦枠１はコンクリート製の躯体に固定され、一方、扉３の基端部は丁番（図示せず）を介して他方の扉の縦枠に取付けられ、該扉３は温度条件により歪んだり或いは反ったりする場合がある。これらの事実を前提にして、本発明の実施例を詳細に説明する。
【００１６】
（２）本発明の主要部−ストライク９
まず、ストライク９の形状は、普通一般のそれと異なる所はない。すなわち、従来のデッド用受板の形状に相当するストライク９は、長方形状の金属製板材であり、その中央部には、トロヨケ８のケース状凹部１４へとデッド５を突入させる矩形状の開口１０が貫通形成されている。
【００１７】
次に、ストライク９の前記開口１０は、普通一般にデッド５の幅（肉厚）方向の左右側面に対して若干の間隙が設定されているが、本実施例の矩形状の開口の幅寸法は、図１０で示すように、例えば室内側ＩＮのデッド５の側面５ｂ及び室外側ＯＵＴのデッド５の側面５ｃに対してそれぞれ３ｍｍの間隙が生じるように設定されている。つまり、従来のストライクの開口に対して、本実施例のストライク９の開口１０は、やや大き目に設定されている。
【００１８】
（３）本発明の主要部−トロヨケ８
デッド受け金具２の横向き凹部１４内には、複数個の垂直部材１６と、これらの垂直部材を初期位置（待機待ち位置）に付勢する複数個の付勢手段１７と、これらの部材１６，１７を支持する複数個の棒状水平ガイド１８が整列状態に設けられている。
【００１９】
ここで、説明の便宜上、まず、ボックス状トロヨケ８の凹部１４を形成する各部位に符号を付す。８ａは左右の側壁、８ｂは上下の壁、８ｃはこれらの各壁と直交する後壁（図２で示す手前の開口を基準にすると後壁に相当）、８ｄは開口を形成する上下の縁部から耳状に突出する取付け部分である。
【００２０】
しかして、前記後壁８ｃの上部と下部には、横（左右）方向Ａに所定の間隙を有して複数個の第１支持穴１１が形成されている。実施例では垂直部材１６が５個であることから、上部と下部の第１支持穴１１は、それぞれ５個である。これらの第１支持穴１１は、トロヨケ８とストライク９に並列状態に架設される棒状水平ガイド１８を支持する支持部としての機能を果たす。
【００２１】
なお、垂直部材１６や付勢手段１７が５個である理由は、説明の便宜上の問題に過ぎない。したがって、発明の目的との関係では、垂直部材１６は最低３個であるが、５個寄りも多い６個、７個、８個、９個等であっても良い。つまり、垂直部材１６の数が多くなれば第１支持穴１１、棒状水平ガイド１８等も相関して多く成る。
【００２２】
次に、図２を参照にしてストライク９を説明する。ストライク９は開口１０を有する前壁９ａと、この前壁９ａの一端部を折り曲げて形成された端板部９ｂとを有するが、前記開口１０と上部と下部の取付け孔１２との間にトロヨケ側の第１支持穴１１にそれぞれ対応する第２支持穴１３が形成されている。すなわち、ストライク９の上端部寄りの部位と下端部寄りの部位には、横（左右）方向Ａに所定の間隙を有して複数個（合計１０個）の第２支持穴１３が形成されている。したがって、これらの第２支持穴１３も第２支持穴１３と同様に棒状水平ガイド１８の各端部をそれぞれ支持する機能を有する。
【００２３】
次に、垂直部材１６等を説明する。垂直部材１６は、発明の目的を考慮して、望ましくは長杆状又は長板状に形成すべきである。つまり、垂直部材１６の横（左右）方向Ａの厚み、進退動方向の幅、上下方向の長さ、硬質性、弾発性、個別的水平ガイドとの係合関係等は、トロヨケ８の横向き凹部１４の幅、デッドの幅、を考慮して適宜に設定され得る。
【００２４】
実施例では、扉のガタ付き防止効果性、垂直部材の可動性や安定性等を考慮して、やや厚みのある長板状に形成されていると共に、上部と下部に貫通状の案内孔１９が形成されている（図２、図４等参照）。
【００２５】
各垂直部材１６はそれぞれ上・下部の案内孔１９を介して上下一対の棒状水平ガイド１８に串差し状に支持される。したがって、各案内孔１９に差し込まれる棒状水平ガイド１８及び各棒状水平ガイド１８にそれぞれ巻装されるコイルスプリング１７は、上方に５個、下方に５個ということになる。また、付勢手段１７の一例であるコイルスプリングは、トロヨケの後壁８ｃと各垂直部材１６との間の空間に個別的に配設されることになる。
【００２６】
（４）主要部の組立て
実施例では、複数本の垂直部材１６及び付勢部材１７は、トロヨケ８の第１支持穴１１及びストライク９の第２支持穴１３に架設された複数本の棒状水平ガイド１８にそれぞれ設けられている。そこで、主要部の組立てについて、簡単に説明する。
【００２７】
まず、各垂直部材１６と、各付勢部材１７と、各棒状水平ガイド１８とをセット状態に組み立てる。しかる後に、各棒状水平ガイド１８の両端部をトロヨケ８の第１支持穴１１及びストライク９の第２支持穴１３にそれぞれ嵌め込む。各部材１６、１８、１７の組立ての際、例えば各垂直部材１６の案内孔１９に各棒状水平ガイド１８をそれぞれ串差し状に差し込んだ後に各付勢部材１７を各棒状水平ガイド１８にそれぞれ装着する。したがって、各棒状水平ガイド１８を介して、いわば垂直部材１６及び付勢部材１７をワンセットの状態でトロヨケ８及びストライク９に架設することができるので、組み合わせの容易化を図ることができる。
【００２８】
（５）主要部の作用
図６で示すように、解錠時、各垂直部材１６は、それぞれ各付勢部材１７に付勢されていることから、やや弧状の先端面はストライク９の前壁９ａの内壁面に圧接或いは当接している。実施例の複数本の垂直部材１６はそれぞれ長板状に形成されていることから、ストライク側から見た開口１０を基準にすると、縦縞状模様に見える。
【００２９】
付言すると、５枚の板状垂直部材１６は、横方向に一連に配列にされているので、開口枠を基準にすると、いわばストライプ状に並んで、初期位置でデッド５を待ち構えている、との印象を受ける。
【００３０】
前述したように、扉３は外の温度条件によって、「反る」、「反りが戻る」。図８は、扉が矢印で示す左側に反った場合に於いて、デッド５の先端部５ａが所定の位置まで突入した概略説明図である。一方、図９は、扉が矢印で示す右側に反った場合に於いて、デッド５の先端部５ａが所定の位置まで突入した概略説明図である。したがって、図７は、扉の反りが戻った場合の状態を示す。もちろん、扉が反っていない場合も含まれる。
【００３１】
ここで、図７を参照にして、各垂直部材１６の作用を説明すると、施錠時、デッド５の先端部５ａがストライクの開口１０の真中に突入した場合、扉の反りが戻っていることから、デッド５の先端部５ａ、正確にはデッドの先端面が左右の板状垂直部材１６を除き、３個の板状垂直部材１６に同時に当たる。３個に板状垂直部材１６は突入するデッドの先端面に押圧されると、個別的棒状水平ガイド１８を介して、かつ、各付勢手段１７のバネ力に抗して初期位置からトロヨケの凹所の奥へと後退動する反面、その余（ここでは左右）の垂直部材は、デッド５の左右の側面５ｂ、５ｃを挟むようにそのまま初期位置に停止している。
【００３２】
なお、実施例によっては、デッド５の側面５ｂ、５ｃに停止している垂直部材は、右側面のみ、又は左側面のみの場合もあり得る。このような場合には、デッド５の先端部５ａは、初期位置に停止している左右いずれかの垂直部材とストライク８の開口１０の縁部で規制される。
【実施例】
【００３３】
次に、図１１及び図１２を参照にして本発明の第２実施例について説明する。なお、第２実施例の説明にあたって、第１実施例と同一の部分には同様の符号を付して重複する説明を省略する。
【００３４】
第２実施例が第１実施例と主に異なる事項は、個別的水平ガイド１８Ａである。第１実施例の個別的水平ガイド１８は棒状に形成され、該棒状水平ガイド１８に各板状垂直部材１６及び個別的付勢手段１７がそれぞれ支持されるのに対して、第２実施例の個別的水平ガイド１８Ａは、トロヨケ８Ａの上下の壁８ｂの内壁面にそれぞれ横方向に一連に形成された被係合部（いわば敷居や鴨居に相当する案内溝）１８Ａ、１８Ａであり、また、個別的付勢手段１７Ａは、トロヨケ８Ａの後壁８ｃに形成された上・下部の第１支持穴１１と板状垂直部材１６Ａの後端部に形成された上・下部の第２支持穴１３Ａにそれぞれ支持されている。
【００３５】
したがって、前記板状垂直部材１６Ａの上・下端部には、トロヨケ８Ａの内壁面の被係合部１８Ａ、１８Ａにそれぞれ係合する係合部（案内突起）１９Ａ、１９Ａが形成されている反面、ストライク９Ａの上下端部寄りの部位には、第１実施例のような第２支持穴は形成されていない。
【００３６】
このように、部品点数が多く成る棒状水平ガイド１８を省略して、トロヨケ８Ａの上下の壁８ｂと板状垂直部材１６Ａの上・下端部にそれぞれ係合手段を設けても、第１実施例と同一の目的を達成することができる。
【産業上の利用可能性】
【００３７】
本発明は、主に建具や錠前の業界で利用される。
【図面の簡単な説明】
【００３８】
図１乃至図１０は本発明の最良の実施例を示す各説明図（第１実施例）。図１１及び図１２は本発明の第２実施例を示す各説明図。
【図１】実施の環境を示す概略説明図。
【図２】主要部の分解斜視図。
【図３】正面視からの概略説明図。
【図４】縦概略断面説明図。
【図５】図４の５−５線概略断面説明図。
【図６】図４の６−６線概略断面説明を含む内部構造を示す概略説明図。
【図７】扉の反りが戻った場合の概略説明図（施錠状態）。
【図８】扉が矢印で示す左側に反った場合の概略説明図（施錠状態）。
【図９】扉が矢印で示す右側に反った場合の概略説明図（施錠状態）。
【図１０】本発明の間隙に関する説明図。
【図１１】第２実施例の主要部の分解斜視図。
【図１２】第１実施例と異なる部分の概略説明図。
【符号の説明】
【００３９】
1…縦枠、２…デッド用受け金具、３…扉、ＩＮ…室内、ＯＵＴ…室外、４…錠前、５…デッドボルト（デッド）、５ａ…デッドの先端部、５ｂ，５ｃ…デッド５の左右側面、７…フロント、８，８Ａ…トロヨケ、８ａ…左右の側壁、８ｂ…上下の壁、８ｃ…後壁、８ｄ…取付け部分、９，９Ａ…ストライク、９ａ…前壁、１０…開口、１１…第１支持部（支持穴）、１２…取付け孔、１３，１３Ａ…第２支持部（支持穴）、１４…凹部、１６，１６Ａ…垂直部材、１７，１７Ａ…付勢手段、１８，１８Ａ…水平ガイド（棒状体、被係合部）、１９，１９Ａ…案内手段（案内孔、案内突起）。
【図１】
2007231687.tif 000003
【図２】
2007231687.tif 000004
【図３】
2007231687.tif 000005
【図４】
2007231687.tif 000006
【図５】
2007231687.tif 000007
【図６】
2007231687.tif 000008
【図７】
2007231687.tif 000009
【図８】
2007231687.tif 000010
【図９】
2007231687.tif 000011
【図１０】
2007231687.tif 000012
【図１１】
2007231687.tif 000013
【図１２】
2007231687.tif 000014